(57)【要約】      （修正有）【課題】身飾品の購入者または身飾品の販売店スタッフが、専門業者に預けなくとも、自分自身で容易に遺骨等を封入することができるとともに、封入した遺骨等を堅固に保持することができる身飾品を提供する。【解決手段】封入物と光硬化性樹脂との混合物２を収容する空間として、インナーポケットが形成された身飾品本体１０と、インナーポケットの開口１１ａを覆う蓋部材２０とを備えた身飾品である。身飾品本体には、インナーポケットと隣接する位置に、蓋部材を受け入れる窪み部が形成され、窪み部には、蓋部材の裏面２０ｂの側縁部を支持する台座面が、開口の外縁の少なくとも一部に沿って設けられ、台座面１４ａには、位置決め用の係合部２３が設けられる一方、蓋部材の裏面側には、係合部と対応する位置に、係合部と係合可能な被係合部１３が設けられ、蓋部材には、インナーポケットに連通する窓部２１が設けられている。【選択図】図４
0003226565.tif 000002
【実用新案登録請求の範囲】
【請求項１】
封入物と光硬化性樹脂との混合物を収容する空間として、インナーポケットが形成された身飾品本体と、前記インナーポケットの開口を覆う蓋部材とを備えた身飾品であって、
前記身飾品本体には、前記インナーポケットと隣接する位置に、前記蓋部材を受け入れる窪み部が形成され、
前記窪み部には、前記蓋部材の裏面側縁部を支持する台座面が、前記開口の外縁の少なくとも一部に沿って設けられ、
前記台座面には、位置決め用の係合部が設けられる一方、前記蓋部材の裏面側には、前記係合部と対応する位置に、前記係合部と係合可能な被係合部が設けられ、
前記蓋部材には、前記インナーポケットに連通する窓部が設けられていることを特徴とする身飾品。
【請求項２】
請求項１に記載の身飾品において、
前記封入物が、遺骨、遺灰または遺髪を含む、故人や亡くなったペットの身体の一部であることを特徴とする身飾品。
【請求項３】
請求項１または２に記載の身飾品において、
前記インナーポケット内の混合物が硬化した後に、その硬化物が前記開口を通って外に出ないように、前記開口の寸法または形状が設定されていることを特徴とする身飾品。
【請求項４】
請求項１乃至３の何れか一項に記載の身飾品において、
前記光硬化性樹脂が、接着剤としても機能する光硬化性樹脂であることを特徴とする身飾品。  
【請求項５】
請求項１乃至４の何れか一項に記載の身飾品において、
前記係合部と前記被係合部のうちの一方がピンであり、他方が、前記ピンを差し込み可能な孔部であることを特徴とする身飾品。
【請求項６】
請求項１乃至５の何れか一項に記載の身飾品において、
前記身飾品が、リング、ネックレス、イヤリング、ブレスレット、ブローチまたは時計のうちの何れかであることを特徴とする身飾品。
【考案の詳細な説明】
【技術分野】
【０００１】
本考案は、手元供養品として用いて好適な身飾品に関するものである。
【背景技術】
【０００２】
近年、核家族化や住宅環境などのライフスタイルの変化に伴い、供養の形も多様化し始めている。このような背景から、「まだ寂しくて離れがたい」「これからもそばで見守って欲しい」などの気持ちを持つ遺族が、より故人を身近に感じる新しい供養方法として手元供養（自宅供養）が注目されている。手元供養は、遺骨や想い出の品を、置物や小さな壺、お守りや身飾品などの手元供養品に納めるといった供養形態であり、墓が遠方にあって思うようにお参りに行けない、嫁ぎ先で実父母の供養をしたい、住宅事情により省スペースで故人を忍びたいという遺族のニーズを満たすものである。また、手元供養品を身に着けることによって、自宅や外出先でも故人との絆をいつも身近に感じることができるため、大切な人を失った深い悲しみを癒し、前向きな気持ちになれるとして幅広い世代に受け入れられている。特にリングやネックレス、ブレスレットなどの手元供養品は、簡単に身に着けることができる身飾品として人気となっている。
【０００３】
このようなリングやネックレスなどの手元供養として、従来より、購入者が販売店を通じて遺骨の封入や身飾品の加工等を専門業者に委託するセミオーダーの形態を採るものが知られている。しかしながら、このタイプの手元供養品は、購入者が注文とともに少量の遺骨や遺灰を送付する必要があり、これらを他人に預けることへの抵抗感を持つ人も多い。このような問題点を解決しようとした先行技術として、購入者が自分で遺骨を封入するタイプの身飾品が考案されている（例えば、特許文献１）。この身飾品は、購入者が封入部の空洞部分に故人の遺骨などを収納し、空洞部分の上部に蓋をかぶせる構造となっている。しかしながら、空洞に蓋をかぶせるだけの構造では、例えば、リングに衝撃等が加わった場合に、簡単に蓋が外れて、大切な遺骨が外に飛び出す懸念がある。
【先行技術文献】
【特許文献】
【０００４】
【特許文献１】実用新案登録第３１４７９０３号公報
【考案の概要】
【考案が解決しようとする課題】
【０００５】
本考案は、かかる事情に鑑みてなされたもので、身飾品の購入者または身飾品の販売店スタッフが、専門業者に預けなくとも、自分自身で容易に遺骨等を封入することができるとともに、封入した遺骨等を堅固に保持することができる身飾品を提供することを目的とする。
【課題を解決するための手段】
【０００６】
本考案に係る身飾品は、封入物と光硬化性樹脂との混合物を収容する空間として、インナーポケットが形成された身飾品本体と、インナーポケットの開口を覆う蓋部材とを備えた身飾品であって、身飾品本体には、インナーポケットと隣接する位置に、蓋部材を受け入れる窪み部が形成され、窪み部には、蓋部材の裏面側縁部を支持する台座面が、開口の外縁の少なくとも一部に沿って設けられ、台座面には、位置決め用の係合部が設けられる一方、蓋部材の裏面側には、係合部と対応する位置に、係合部と係合可能な被係合部が設けられ、蓋部材には、インナーポケットに連通する窓部が設けられていることを特徴とするものである。
【０００７】
ここで、封入物とは、例えば、遺骨、遺灰または遺髪を含む、故人や亡くなったペットの身体の一部である。上記身飾品においては、インナーポケット内の混合物が硬化した後に、その硬化物が開口を通って外に出ないように、開口の寸法または形状が設定されていることが好ましい。光硬化性樹脂には、接着剤としても機能する樹脂を用いることができる。また、係合部と被係合部のうちの一方がピンであり、他方が、当該ピンを差し込み可能な孔部であってもよい。この身飾品は、好適には、リング、ネックレス、イヤリング、ブレスレット、ブローチまたは時計の何れかである。
【考案の効果】
【０００８】
本考案に係る身飾品によれば、光硬化性樹脂とともに封入物を身飾品本体のインナーポケット内に封入して、その開口を蓋部材で覆う構成としたため、大切な遺骨等の封入物を堅固に保持することができる。
【０００９】
また、身飾品本体の台座面に位置決め用の係合部を設け、これと係合可能な被係合部を蓋部材に設けるようにしたため、蓋部材を身飾品本体の適切な位置に容易に取り付けることができる。
また、インナーポケットに連通する窓部を蓋部材に設けるようにしたため、インナーポケット内に充填した光硬化性樹脂が多過ぎる場合には、窓部から光硬化性樹脂の余剰分が溢れ出すようになる。このため、溢れた光硬化性樹脂を硬化前に拭き取るようにすれば、光硬化性樹脂を適量に容易に調整することができる。これに対して、封入に樹脂を使用する従来の身飾品にあっては、樹脂を適量に調整することが難しく、樹脂の硬化後に、身飾品の表面からはみ出した樹脂やバリを取り除く研磨処理が必要であったが、本考案に係る身飾品においては、そのような処理も不要となる。
したがって、身飾品の購入者または身飾品の販売店スタッフであっても、専門業者に預けることなく、自分自身で容易に遺骨等の封入作業を実施することができる。
【００１０】
また、蓋部材に窓部を設けたことにより、身飾品の所有者は、大切な遺骨等とのつながり（絆）を常に感じることができる。
また、蓋部材を窪み部内に収納する構成としたため、従来の手元供養品と比較して封入部分の構造が非常にコンパクトになり、外観が普通の身飾品と変わらず日常的な装身具として身につけることが可能となる。
【図面の簡単な説明】
【００１１】
【図１】本考案に係る身飾品の一実施形態として例示するリングを示す斜視図である。
【図２】図１のリングの蓋部材周辺を拡大した斜視図で、蓋部材を取り付けた状態を示している。
【図３】図１のリングの蓋部材周辺を拡大した斜視図で、蓋部材を取り外した状態を示している。
【図４】図１のリングの蓋部材の取付構造を示す断面図である。
【考案を実施するための形態】
【００１２】
図１〜図４は、本考案に係る身飾品の一実施形態を示すもので、図中符号１が身飾品として例示するリングである。このリング１は、遺骨等の封入物を収容する空間となるインナーポケット１１を有するリング本体（身飾品本体）１０と、このリング本体１０のインナーポケット１１の開口１１ａを覆う蓋部材２０とにより概略構成されている。封入物としては、例えば、遺骨、遺灰、遺髪など、故人や亡くなったペットの身体の一部や遺品等が含まれ、これら封入物の何れかと、透明または半透明な液体状の光硬化性樹脂（例えば、ＵＶレジン液など）との混合物２がインナーポケット１１内に充填されるようになっている。リング本体１０は、例えば、金、銀、プラチナ、ステンレス及びチタンなどの貴金属により形成されている。蓋部材２０は、リング本体１０と同一材料で形成することができるが、異なる材料で形成するようにしてもよい。
【００１３】
リング本体１０は、図３および図４に示すように、上述したインナーポケット１１と、このインナーポケット１１に隣接して設けられ、蓋部材２０を受け入れる窪み部１２とを備えている。インナーポケット１１は、リング本体１０の外周面１０ａと内周面１０ｂとの間に、リング１の周方向に沿って形成された内部空間であり、リング本体１０の内周面１０ｂ側に開口１１ａを有している。開口１１ａは、インナーポケット１１内の光硬化性樹脂を含む混合物２が硬化した後に、その硬化した塊が開口１１ａを通って外に出ないように、その寸法または形状が設定されている。この実施形態では、開口１１ａは、ほぼ楕円形状をなしており、その長軸方向の長さが、インナーポケット１１内部の同方向における長さよりも短くなっている。ここでは、図４に示すように、後述する台座面１４ｂ側に脇穴１１ｂを形成することによって、それが達成されている。
【００１４】
窪み部１２は、図３に示すように、蓋部材２０を突出しないように収納するための凹状部であり、蓋部材２０の裏面２０ｂと対向する奥壁面１２ａと、蓋部材２０の側面２０ｃと対向する側壁面１２ｂとを有している。この窪み部１２の奥壁面１２ａの中央に、インナーポケット１１の開口１１ａが形成されており、その両側が、蓋部材２０の裏面２０ｂ側縁部を支持する台座面１４ａ、１４ｂとなっている。そして、一方の台座面１４ａには、蓋部材２０の裏面２０ｂから突出する位置決め用のピン（係合部）２３を差し込むための孔部（被係合部）１３が設けられている。なお、本実施形態では、開口１１ａを挟んで両側に台座面１４ａ、１４ｂを設けるようにしたが、開口１１ａの外縁全体に亘って台座面を設けることも可能である。
【００１５】
蓋部材２０は、ほぼ楕円形状の表面２０ａおよび裏面２０ｂを有する板状部材である。この蓋部材２０の表面２０ａおよび裏面２０ｂは、リング本体１０の内周面１０ｂの曲率半径とほぼ同一の曲率半径を有する凹曲面となっている。そして、図２に示すように、この蓋部材２０を窪み部１２内に嵌め込んだ状態において、蓋部材２０の表面２０ａがリング本体１０の内周面１０ｂと同一曲面上に位置し、かつ蓋部材２０の表面２０ａとリング本体１０の内周面１０ｂとの間に隙間が生じないように、窪み部１２の形状および寸法が設定されている。また、蓋部材２０の裏面２０ｂからは、図３に示すように、位置決め用のピン２３が突出しており、このピン２３を台座面１４ａの孔部１３に差し込むことにより、リング本体１０に対して蓋部材２０を容易かつ正確に位置決めできるようになっている。
【００１６】
また、蓋部材２０の中央には、厚み方向に蓋部材２０を貫通するハート形の窓部２１が形成されている。この窓部２１は、インナーポケット１１に連通しており、この窓部２１からインナーポケット１１内に向けて光を照射することにより、インナーポケット１１内の光硬化性樹脂を含む混合物２を効率良く硬化させることができる。また、インナーポケット１１内に充填した光硬化性樹脂が多過ぎる場合には、窓部２１から光硬化性樹脂の余剰分が溢れ出すことから、それが硬化する前に拭き取ることにより、光硬化性樹脂の充填量を適量に容易に調整することができる。
【００１７】
次に、上記構成からなるリング１内に封入物として遺骨を封入する手順について説明する。
【００１８】
先ず、遺骨を細かくし、これを適量の光硬化性樹脂と混ぜる。ここで、光硬化性樹脂としてはＵＶレジン液を用いることができ、例えば、このＵＶレジン液を適量紙の上に載せて、その上に、細かくした遺骨を落とした後、楊枝等を使用して両者を混ぜることにより、家庭にある材料のみを使って、細かくした遺骨とＵＶレジン液の混合物２を容易に作ることができる。
【００１９】
次いで、図３に示すように、リング１から蓋部材２０を取り外した後、混合物２を楊枝等ですくって、適量を開口１１ａからインナーポケット１１内に充填する。その後、充填が完了したら、ピンセット等で蓋部材２０を挟み、蓋部材２０のピン２３と台座面１４ａの孔部１３との位置を合わせるようにして、図２に示すように、蓋部材２０をリング本体１０の窪み部１２に嵌め込む。その際に、蓋部材２０の窓部２１からＵＶレジン液が溢れ出す場合には、それを楊枝等ですくい取って、ＵＶレジン液の充填量を適量に調整する。
【００２０】
その後、蓋部材２０に光が当たるような向きで、個装箱にリング１を固定した後、蓋部材２０に向けて紫外線を含む光（例えば、日光）を所定時間（例えば、２４時間）照射する。これにより、窓部２１を介してインナーポケット１１内に紫外線が入射して、インナーポケット１１内のＵＶレジンが硬化するとともに、この硬化したＵＶレジンが接着剤として機能することにより、蓋部材２０がリング本体１０に対して固定されることとなる。その結果、リング１内に遺骨がしっかりと封入された状態となって、当該リング１を身飾品として好適に用いることができる。
【００２１】
以上のように、本考案の身飾品として例示するリング１によれば、光硬化性樹脂とともに封入物をリング本体１０のインナーポケット１１内に封入して、その開口１１ａを蓋部材２０で覆う構成としたため、大切な遺骨等の封入物を堅固に保持することができる。
また、リング本体１０の台座面１４ａに位置決め用の孔部１３を設け、この孔部１３に差し込み可能なピン２３を蓋部材２０に設けるようにしたため、蓋部材２０をズレることなく適切な位置に取り付けることができる。
また、光硬化性樹脂を適量に容易に調整することができるため、身飾品の購入者または身飾品の販売店スタッフであっても、専門業者に預けることなく、自分自身で容易に遺骨等の封入作業を実施することができる。
【００２２】
また、蓋部材２０に窓部２１を設けるようにしたため、身飾品の所有者は、大切な遺骨等とのつながり（絆）を常に感じることができる。特に、本実施形態では、窓部２１の形状をハート形としたため、その効果をより一層高めることができる。
【００２３】
また、インナーポケット１１内の光硬化性樹脂を含む混合物２が硬化した後に、その硬化した塊が開口１１ａを通って外に出ないように、開口１１ａの寸法または形状が設定されているため、何らかの理由でリング１に変形が生じたり、或いは蓋部材２０が外れたりするような状況が生じたとしても、封入物がリング１の外に抜け落ちるのを効果的に防止することができ、大切な遺骨等の封入物が紛失するのを極力回避することができる。  
【００２４】
また、接着剤としての機能を併せ持つ光硬化性樹脂を用いるようにしたため、光硬化性樹脂の硬化と同時に、蓋部材２０をリング本体１０に対して固定することができる。その結果、リング１内に遺骨等を封入する手順をより簡略化することができる。
【００２５】
また、蓋部材の固定にネジ等の締結部材を用いる場合には、その締結部分におけるリング本体の厚みを構造上一定以上の厚みとする必要があり、結果としてデザイン上の制限を受けることが考えられるが、本考案に係るリング１によれば、締結部材が不要であるため、そのような制約を受けることもなく、一般的な装飾品としてのリングと同様の高いデザイン上の自由度を担保することができる。
【００２６】
なお、本実施形態では、身飾品としてリングを例示したが、本考案はこれに限定されるものではなく、例えば、ネックレス、イヤリング、ブレスレット、ブローチなどの他のアクセサリーや、腕時計などの装身具に本考案を適用することも可能である。
また、本実施形態では、窓部２１の形状をハート形としたが、円形や多角形、星形など、その他の形状とすることも可能である。
また、本実施形態では、リング本体１０の台座面１４ａに孔部１３、蓋部材２０にピン２３をそれぞれ設けるようにしたが、リング本体１０の台座面１４ａにピン２３、蓋部材２０に孔部１３をそれぞれ設けることも可能である。また、それらを複数組設けるようにしてもよい。また、係合部と被係合部の組合せは、ピンと孔部の組合せに限られるものではなく、蓋部材２０の位置決めが可能であれば、その他の形態のものであってもよい。
また、本実施形態では、楕円形の開口１１ａの長軸方向の長さを、インナーポケット１１内部の同方向における寸法よりも短くしたが、本考案はこれに限られるものではなく、その他の方向の開口１１ａの寸法をインナーポケット１１内部の寸法よりも短くすることによって、硬化した混合物２の離脱を防止することも可能である。
【符号の説明】
【００２７】
１              リング
２              混合物  
１０            リング本体（身飾品本体）
１１            インナーポケット
１１ａ          開口
１２            窪み部
１３            孔部（被係合部）
１４ａ，１４ｂ  台座面
２０            蓋部材
２１            窓部
２３            ピン（係合部）
【図１】
0003226565.tif 000003
【図２】
0003226565.tif 000004
【図３】
0003226565.tif 000005
【図４】
0003226565.tif 000006